(57)【要約】      （修正有）【課題】センサーライトとして用いつつ間接的な照射を実現し、なおかつ、ＬＥＤ光源と反射面を簡易な構成で用いるセンサ―ライトを提供する。【解決手段】センサ―ライト１は、人感センサー２の検知結果によりＬＥＤ光源を点灯、消灯させるもので、本体３の回動支持体４に反射保持体１１を備え、反射板保持体の溝部の底にＬＥＤ光源を溝部の開口方向に発光するように配置し、溝部に反射板２１を挿入して保持することで、間接光を発光する。【選択図】図１
0003221480.tif 000002
【実用新案登録請求の範囲】
【請求項１】
人感センサーを備えた本体と、ＬＥＤ光源と、該ＬＥＤ光源の照射を反射する１または複数の反射板と、該反射板を保持する溝部を有する反射板保持部と、を有し、前記人感センサーでの検知結果により前記ＬＥＤ光源を点灯、消灯させる制御部と、からなるものであって、
前記ＬＥＤ光源は、前記反射板保持部の溝部の底部分に、溝部の開口方向に向けて光線が向くように配置され、さらに前記反射板を溝部に差し込み固定することで間接光を発光するセンサ―ライト。
【請求項２】
反射板は、所定面積を有する平板材であって、表面を平坦面とし、裏面に左右方向を長手方向とする切り込み溝を上下に複数配置し、
前記切り込み溝の切り込み深さは、前記反射板に形成される切り込み溝の下側から上側にかけて順次深く形成されていることを特徴とする請求項１に記載のセンサ―ライト。
【請求項３】
本体は、裏面側に備えた反射板保持体を支持する回動支持体を有し、
前記回動支持体は、側面視において前記反射板保持体を前記本体上方に向けて傾斜して張り出して支持し、
反射板は、前記反射板保持体の上平面から垂直に起立することで、前記本体上方で後方に傾斜することを特徴とする請求項１または２のいずれかに記載のセンサ―ライト。
【請求項４】
ＬＥＤ光源を底部分に配置する反射板保持部に形成された溝部の前後幅は、反射板の前後幅より広く形成し、前記反射板の表面を前記溝部の前壁に沿って配置し、前記反射板の裏面と前記溝部の後壁との間に隙間を形成したことを特徴とする請求項２または３のいずれかに記載のセンサ―ライト。
【考案の詳細な説明】
【技術分野】
【０００１】
本考案は、人感センサーに反応して照射するセンサ―ライトに関する考案である。
【背景技術】
【０００２】
人感センサーに反応して照射するセンサ―ライトは従来から使用されており、主に防犯用、防獣用に用いられることが多かった。従来のセンサ―ライトは、防犯用、防獣用に設計されていたため、サーチライトのような態様で直射する光を対象に照射することが一般的であった。そこで照射方向を変更するに際しても、あくまで直射する方向を変更するものであった。
【０００３】
しかし、最近に至り、防犯用や防獣用にとどまらず、暗い室内で手元や足元を照らすために用いられることも徐々に増加している。この場合にはセンサ―ライトによる照射を直射することは好ましくなく、間接的な照射が好ましい。
【０００４】
ＬＥＤ光源と反射面を有する照明モジュールは従来から存在していた。その一方で、この照明モジュールをセンサ―ライトに用いるものは存在していなかった。また、ＬＥＤ光源と反射面とを用いて、センサ―ライトとして簡易な手法で用いることが望まれていた。
【先行技術文献】
【特許文献】
【０００５】
【特許文献１】特開２０１３−１８２７３１号公報
【考案の概要】
【考案が解決しようとする課題】
【０００６】
既述の背景技術をもとに、センサーライトとして用いつつ間接的な照射を実現し、なおかつ、ＬＥＤ光源と反射面を簡易な構成で用いることができるセンサ―ライトが求められてきた。
【課題を解決するための手段】
【０００７】
本考案のセンサ―ライトは、人感センサーを備えた本体と、ＬＥＤ光源と、該ＬＥＤ光源の照射を反射する反射板と、該反射板を保持する溝部を有する反射板保持部と、を有し、前記人感センサーでの検知結果により前記ＬＥＤ光源を点灯、消灯させる制御部と、からなるものであって、前記ＬＥＤ光源は、前記反射板保持部の溝部の底部分に、溝部の開口方向に向けて光線が向くように配置され、さらに前記反射板を溝部に差し込み固定することで間接光を発光することを特徴とする。
【０００８】
また、反射板は、所定面積を有する平板材であって、表面を平坦面とし、裏面に左右方向を長手方向とする切り込み溝を上下に複数配置し、前記切り込み溝の切り込み深さは、前記反射板に形成される切り込み溝の下側から上側にかけて順次深く形成されていることが好ましい。
【０００９】
また、本体は、裏面側に備えた反射板保持体を支持する回動支持体を有し、前記回動支持体は、側面視において前記反射板保持体を前記本体上方に向けて傾斜して張り出して支持し、反射板は、前記反射板保持体の上平面から垂直に起立することで、前記本体上方で後方に傾斜することが好ましい。
【００１０】
また、ＬＥＤ光源を底部分に配置する反射板保持部に形成された溝部の前後幅は、反射板の前後幅より広く形成し、前記反射板の表面を前記溝部の前壁に沿って配置し、前記反射板の裏面と前記溝部の後壁との間に隙間を形成したことが好ましい。
【考案の効果】
【００１１】
請求項１に記載の考案により、一般的な対象物に対して照射する直射型センサーライトに対してＬＥＤ光源と、同光源からの光線を溝状に反射する反射板を利用することにより、間接光で手元や周囲を照らすことができ、室内や室外でも、緩やかな発光を利用したセンサ―ライトを提供することができる。
【００１２】
請求項２に記載の考案により、切り込み溝を上下に形成するとともに、裏面側に形成することにより、前方への直射を制限し、間接光とするセンサ―ライトを提供することができる。
【００１３】
請求項３に記載の考案により、反射板を傾斜させることで、正面に対して光を直射することがなく、間接的な照射となり、間接的な照射を実現することが可能になる。また、反射板保持体が本体後方の回動支持体から本体上方に張り出すように支持されていることから、反射板を傾斜させつつも本体の上方でコンパクトに保持することが可能になる。
【００１４】
請求項４に記載の考案により、溝部に隙間を構成して一部に反射板を通過しない照射部分を備えることで、傾斜した反射板の裏面の切り込み溝で間接光を実現することができる。
【図面の簡単な説明】
【００１５】
【図１】本考案の実施形態に係るセンサ―ライトの正面図である。
【図２】図１の背面図である。
【図３】図１の右側面図である。
【図４】反射板保持体のみの平面図である。
【図５】図４の一部拡大平面図であって、反射板を破線で示したものである。
【図６】反射板の一部拡大側面図である。
【考案を実施するための形態】
【００１６】
本考案の実施形態について、図面に基づいて詳細に説明する。
【００１７】
図１に示すように、本実施形態のセンサ―ライト１は、球状のセンサ２を前面に配置する箱状の本体３と、本体３の後方に配置される回動支持体４と、回動支持体４に取り付けられ、反射板２１、２１を保持するための反射板保持体１１、１１と、この反射板保持体１１、１１に保持される反射板２１、２１とからなる。
【００１８】
本体３は、側面視において前面と後面が一部上方にかけて狭まるように傾斜する箱状体である（図３参照）。本体３の内方には収容領域を有し、センサ２による検出結果をもとに光源を発光させる制御部が内蔵されている。この制御部は、検出結果による光源の照射の可否のみならず、照射時間等の設定を行うことができる。本体３の下半分の土台部分には電力の供給を受けるためのコンセントコードが配置されており、外部からの電力供給を受けて、光源を発光させている。
【００１９】
本実施形態では、コンセントコードによる電力供給としているが、本体内に電池収容部を配置して電池による電力供給としてもよく、ソーラーパネルを配置して太陽光発電装置による電力供給としてもよい。
【００２０】
図２に示すように、本体３は、その裏面側に前後方向の前後軸５を有し、この前後軸５を回動軸として回動する回動支持体４を保持している。この回動支持体４は反射板２１を保持する反射板保持体１１を支持するものであり、前後軸５により、本体３を前方から見た場合に反射板２１が同軸を軸心として回動するようにしている。
【００２１】
本実施形態の回動支持体４は、３つの反射板保持体１１、１１を支持するための横長部分を有し、この横長部分の両端と中央位置にアームを介して反射板保持体１１、１１を本体３の上方に位置するように張り出して支持している。
【００２２】
反射板保持体１１は、所定の左右幅を有する反射板２１を下方から保持するものであるため、反射板２１の左右幅を長手方向とする所定長さの保持体である。本実施形態においては３つの反射板保持体１１、１１により３つの反射板２１、２１を支持しているが、これに限定されず、２つの反射板保持体による２つの反射板や単一の反射板保持体による単一の反射板を支持するものであってもよい。
【００２３】
本実施形態の反射板保持体１１は、その左右方向幅が本体３と同程度の幅長さを有しており、この同じ幅長さの反射板保持体１１、１１が左右に備え付けられる。これにより、間接光として反射するものが所定の範囲に広がり、より周囲を照らすことができる。
【００２４】
図４、６に示すように、反射板保持体１１は、上記のとおり、所定の左右幅を有し、その幅方向に沿って溝部１２が形成される。溝部１２は、反射板保持体１１の上面から所定の深さを有し、溝部１２には光源１３が嵌め込まれている。光源１３は、本体３の制御により人感センサに対応して一定時間照射し、その後に照射を終了させる。
【００２５】
図１、４、６に示すように、複数の反射板保持体１１、１１の溝部１２、１２には、各々反射板２１、２１が配置される。反射板２１は、アクリル製の樹脂版であり、溝部１２の左右長手方向と同程度の幅を有し、反射板保持体１１の高さの４倍程度の高さを有する略長方形状の前後面を有する板状体である。
【００２６】
図５に示すように、反射板２１の前面２１ａは通常の平坦面であるが、後面２１ｂは幅方向に左端から右端にかけて切り込み溝２２、２２が複数形成される。この切り込み溝２２、２２は反射板の下方から上方にかけて一定間隔で形成されており、反射板の上縁と下縁付近のみ平坦面としている。
【００２７】
反射板２１の後面２１ｂに形成される切り込み溝２２、２２は、下方から上方にかけて形成されているところ、下方から上方にかけて切り込み幅は徐々に大きくしている。この切り込み溝の切り込みは、反射板２１の後面２１ｂからＶ字状に切り込んでいるものであるが、側面視においてＶ字の大きさが徐々に小さくなるようにしている。
【００２８】
この切り込み溝２２、２２の形態により、溝部１２に配置されたＬＥＤ光源１３から照射された場合に、切り込みに反射して、切り込み溝２２、２２が光るように見せることが可能になる。
【００２９】
図５に示すように、反射板保持体１１、１１は、本体３に取り付けられた回動支持体４に取付られるものであるが、標準時の取付状態は側面視において約２０度傾斜している。つまり、本体３の上面は平坦平面であり、水平面を有するところ、反射板保持体１１、１１は回転支持体４から前側に約２０度傾斜して突出するように、本体上方に張り出すようにアームで支持されている。反射板２１は反射板保持体１１の上面に形成された溝部１２に差し込まれるように配置するものであり、側面視において反射板保持体１１の上平面から直交する方向に立ち上がるように配置されている。反射板支持体１１が本体３の上平面に対して約２０度傾斜しているため、直交する反射板は本体３の上平面、水平面に対して、約７０度で立ち上がり、垂直方向から約２０度後方に傾斜するように配置される。
【００３０】
このように、反射板２１は、水平面に対して、後方に約２０度下方に傾斜するように配置される。この傾斜によっても、反射板２１の後面２１ｂに形成された切り込み溝２２、２２に反射し易くして、鮮明な間接光を実現している。
【００３１】
また、図６に示すように、反射板保持体１１の溝部１２の幅方向長さと直交する厚み方向長さは、反射板２１の厚みより長い。これにより反射板２１を配置したときに溝部１２の厚み方向長さにおいて隙間が生じることとなるが、反射板２１を溝部１２に配置するにあたり、溝部１２内の前側壁に沿って配置し、反射板２１の後方に隙間１４が生じるようにしている（図６は反射板２１を破線で示している）。この隙間からも反射板２１の下方であって溝部１２内に配置した光源１３からの照射により、反射板２１を通過する照射以外にも反射板２１に光源１３から照射させることにより、反射板２１全体の均一な間接光を実現している。
【００３２】
回動支持体４は、前述のとおり前後方向軸５により扇状に回動することができるが、回動支持体４に保持された反射板保持体１１、１１は各々が中央の反射板保持体１１を前後方向に回動させる左右方向（水平方向）の水平軸６、６により軸支されており、各々の反射板２１、２１を前後方向に回動させて照射方向を選択することができる。また、両側の反射板保持体１１、１１は前後方向の前後軸７、７により軸支されており、両側の反射板２１、２１は中央の反射板１１に対して、扇状に回動することができる。これにより、間接光を適宜位置で照射することができる。
【符号の説明】
【００３３】
１…センサ―ライト、２…人感センサ、３…本体、４…回転支持体、１１…反射板保持体、１２…溝部、１３…ＬＥＤ光源、１４…隙間、２１…反射板、２２…切り込み溝。
【図１】
0003221480.tif 000003
【図２】
0003221480.tif 000004
【図３】
0003221480.tif 000005
【図４】
0003221480.tif 000006
【図５】
0003221480.tif 000007
【図６】
0003221480.tif 000008